(57)【要約】      （修正有）【課題】特定期間内における腕立て伏せ運動の反復回数を容易にカウント可能なカウント装置の提供。【解決手段】反復をカウントし、腕立て伏せ運動の時間を計るためのカウント装置１０は、装置本体１５０と、ディスプレイとその上の複数の作動ボタンとを有するカウンタ組立体１００とを含んでいる。カウンタ組立体は、装置の頂部を形成する変形可能な発泡体リング内で嵌合する。運動中、カウンタ組立体内の少なくとも１つのセンサが、運動の経過時間とともに、ディスプレイ上で反復カウントを登録させるために、ユーザは、胸にて、発泡体リングを所定距離押し下げる。装置と表示ユニットが無線通信するように構成されるために、カウンタ組立体は、装置内に固定可能であるか、または、その表示ユニットが着脱可能であってもよい。【選択図】図１
2010110580.tif 000002
【特許請求の範囲】
【請求項１】
腕立て伏せ運動用カウント装置であって、
装置本体と、
ディスプレイと複数の作動ボタンとを有するカウンタ組立体であって、前記カウンタ組立体は、当該カウント装置の頂部を形成する変形可能な発泡体リング内に嵌合している、カウンタ組立体と、
を備え、
運動中のユーザが、ユーザの胸にて、前記カウンタ組立体の少なくとも１つのセンサを始動させるような所定距離前記発泡体リングを押し下げて、前記運動の経過時間とともに前記ディスプレイに反復カウントを登録させることを特徴とする、カウント装置。
【請求項２】
前記発泡体リングを支持するリングホルダーが、約２〜７ｍｍの距離を押し下げられた時点で、前記カウントが生じる、請求項１に記載の装置。
【請求項３】
前記発泡体リングを支持するリングホルダーが、３ｍｍの距離を押し下げられた時点で、前記カウントが生じる、請求項１に記載の装置。
【請求項４】
前記発泡体リングを支持するリングホルダーが、少なくとも１つのセンサと接触するような前記ユーザの体重を受けて押し下げられた時点で、前記カウントが生じる、請求項１に記載の装置。
【請求項５】
前記運動の経過時間は、所定の設定運動時間からゼロまで減少する時間、またはゼロから設定終了時間まで増加する時間である、請求項１に記載の装置。
【請求項６】
前記装置本体は、変形可能なプラスチックまたはゴム材料から構成され、そして、前記カウンタ組立体を支持し、前記カウントを生じさせるのに必要な距離を越えて前記発泡体リングをさらに変形可能にする３本の脚で構成されている、請求項１に記載の装置。
【請求項７】
前記装置本体は、変形可能なプラスチックまたはゴム材料から構成され、そして、前記カウンタ組立体を支持し、前記カウントを生じさせるのに必要な距離を越えて前記発泡体リングをさらに変形可能にするために、前記装置の前記底部において互いに相互接続された３本の脚で構成されている、請求項１に記載の装置。
【請求項８】
前記少なくとも１つのセンサは、複数のマイクロスイッチを含み、
前記カウンタ組立体は、
前記ディスプレイと作動ボタンとマイクロスイッチと電気的に通信するＰＣボードと、
前記ＰＣボードに電力を供給するためのバッテリーと、
をさらに含み、
前記ユーザの体重を受けて前記発泡体リングが変形すると、前記発泡体リングを支持するリングホルダーは、前記マイクロスイッチと接し、それによって、前記ディスプレイに反復カウントを登録するために、前記ＰＣボードに信号を送信する、請求項１に記載の装置。
【請求項９】
前記作動ボタンは、
前記装置に電力を供給し、前記時間とカウントをリセットするためのオン／リセットボタンと、
前記ディスプレイにて前記運動時間を増やすための延長ボタンと、
前記ディスプレイにて前記運動時間を減らすための短縮ボタンと、
を含む、請求項１に記載の装置。
【請求項１０】
前記カウンタ組立体を支持するための前記装置本体内に取り付けられた底カップと、
前記底カップの頂部に取り付けられた円形のばね板であって、前記ばね板は、前記発泡体リングの変形に対して反力を与える複数のばねを有している、ばね板と、
をさらに備える、請求項１に記載の装置。
【請求項１１】
前記装置本体は、約６０〜１００デュロメータの硬度を有する、請求項１に記載の装置。
【請求項１２】
前記装置本体は、約６５〜７５デュロメータの硬度を有する、請求項１に記載の装置。
【請求項１３】
前記カウンタ組立体は、前記装置内で固定されている、請求項１に記載の装置。
【請求項１４】
前記カウンタ組立体の前記ディスプレイは、前記装置から着脱可能であって、前記装置と前記ディスプレイは、無線通信するよう構成されている、請求項１に記載の装置。
【請求項１５】
センサと、前記センサと電気接続された第１トランシーバとを含む装置本体と、
カウント装置の頂部を形成するために、前記装置本体に取り付けられた変形可能な発泡体リングと、
前記発泡体リング内に嵌合するよう構成された第２トランシーバを有する、着脱可能なカウンタ表示ユニットと、
を備える、腕立て伏せ運動用カウント装置であって、
前記カウンタ表示ユニットは前記装置から離れていて、
前記センサは、腕立て伏せ運動中に、ユーザによって前記発泡体リングが押し下げられることを検知し、前記運動の経過時間とともに前記カウンタ表示ユニットに反復カウントを登録するために、前記第２トランシーバに送信する前記第１トランシーバへ、カウント信号を送信する、カウント装置。
【請求項１６】
前記装置本体は、前記発泡体リングが、前記カウントを生じさせるのに必要な距離を越えてさらに押し下げられることができるように変形可能な、変形可能なゴムまたはプラスチック材料からできている、請求項１５に記載の装置。
【請求項１７】
前記装置本体は３本の脚を含んでいる、請求項１５に記載の装置。
【請求項１８】
前記装置本体は、前記発泡体リングが、前記カウントを生じさせるのに必要な距離を越えてさらに押し下げられることができるように変形可能な、変形可能なゴムまたはプラスチック材料から構成された３本の脚を有している、請求項１５に記載の装置。
【請求項１９】
前記送信されるカウント信号は、前記発泡体リングを支持するリングホルダーが、所定距離押し下げられた時点で、引き起こされる、請求項１２に記載の装置。
【請求項２０】
運動システムであって、  
腕立て伏せ運動を行うためのユーザによって握られる一組のハンドル装置と、
前記ユーザの胸の下に位置付けられるカウント装置であって、当該カウント装置上の発泡体リングがユーザの胸によって押し下げられることを検知するためのセンサを含んだカウント装置と、
前記ユーザのための遠隔表示ユニットと、
を備え、
前記発泡体リングを保持するリングホルダーによって、前記センサが、前記発泡体リングとの接触を検知すると、前記カウント装置は、前記表示ユニットで受けられ、前記運動の経過時間とともに反復カウントとして表示される無線信号を送信する、運動システム。
【請求項２１】
前記遠隔表示ユニットは、前記カウント装置内に嵌合するよう構成されている、請求項２０に記載のシステム。
【請求項２２】
前記ハンドル装置は、回転可能なハンドルを含んでいる、請求項２０に記載のシステム。
【発明の詳細な説明】
【技術分野】
【０００１】
例示的な実施形態は、概して、腕立て伏せ運動用カウント装置に関する。
【関連技術の説明】
【０００２】
腕立て伏せは、人間にとって、最も古く、おそらく最も効果的な運動の１つである。腕立て伏せ運動は、運動適正を測るために世界中の軍隊および競技スポーツで採用されている。
【０００３】
運動する際、多くのユーザは、実行された反復をカウントしたがる。従来、ユーザが反復回数の時間を計りたい場合には、ユーザは、典型的には、頭の中で数え続け、置き時計または腕時計を観察し、および／または置き時計または腕時計のタイマーを設定しなければならなかった。ユーザが、腕立て伏せ運動をしている場合には、特定の期間内で反復をカウントすることは困難であることがわかった。
【０００４】
カウント装置は、この課題に対処するために開発されてきた。概して、腕立て伏せ運動用に、ユーザが、ユーザの胸にて、センサ（例えばボタン）と接するカウンタが開発されてきた。このセンサは、筐体内でスイッチまたはカウンタを作動させる。カウントされた反復は、可聴音またはディスプレイで数が増えていくことによって具体化され得る。他のカウンタは、人の身体と接しない近接センサを含んでいる。
【０００５】
しかしながら、従来の身体接触センサは、腕立て伏せの反復をカウントせず、その運動の時間も計らない。さらに、従来のカウンタは、運動する人が腕立て伏せの位置で自らを支持できない場合に「譲ること（give-way）」はしない。接触面は、典型的には、固定したパッドであり、カウンタ本体は概して硬い。近接センサは、腕立て伏せ運動をカウントするには不適当で、それゆえに効果的ではない。
【発明の開示】
【０００６】
本発明の例示的な一実施形態は、腕立て伏せ運動用のカウント装置に関する。この装置は、装置本体と、ディスプレイとディスプレイ上の複数の作動ボタンとを有するカウンタ組立体とを含んでいる。カウンタ組立体は、装置の頂部を形成する、変形可能な発泡体リング内に嵌合している。運動中、ユーザは、カウンタ組立体内の少なくとも１つのセンサに、運動の経過時間とともに、ディスプレイ上で反復カウントを登録させるために、発泡体リングを所定距離、胸にて押し下げる。
【０００７】
別の例示的な実施形態は、センサとセンサに電気的に接続された第１トランシーバとを含む装置本体と、カウント装置の頂部を形成するために装置本体に取り付けられた変形可能な発泡体リングと、発泡体リング内に嵌合するように構成された第２トランシーバを有する、着脱可能なカウンタ表示ユニットとを含む、腕立て伏せ用カウント装置に関する。装置から離れたカウンタ表示ユニットの場合、センサは、腕立て伏せ運動中にユーザが発泡体リングを押し下げることを検知し、第１トランシーバへカウント信号を送る。カウント信号は、運動の経過時間とともにカウンタ表示ユニット上で反復カウントを登録するために、第２トランシーバに送信される。
【０００８】
本発明の別の例示的な実施形態は、運動システムに関する。このシステムは、腕立て伏せ運動を行うために、ユーザによって握られる一組のハンドル装置と、ユーザの胸の下に位置付けられ、ユーザの胸にてカウント装置上の発泡体リングが押し下げられることを検出するためのセンサを含んだカウント装置と、ユーザのための（in view of the user）遠隔表示ユニットとを含んでいる。発泡体リングを保持するリングホルダーによってセンサが発泡体リングと接触したことを検知すると、カウント装置は無線信号を送信する。無線信号は、表示ユニットで受信され、表示ユニット上で、運動の経過時間とともに反復カウントとして表示される。
【図面の簡単な説明】
【０００９】
例示的な実施形態は、本明細書で以下に与えられた詳細な説明および添付の図面から、より十分に理解されるであろう。図面では、同様の構成要素は、同様の参照符号によって表されている。これらは、単に例示目的で与えられているのであって、それゆえに、本明細書における例示的な実施形態を限定するものではない。
【００１０】
【図１】例示的な実施形態にかかる腕立て伏せ運動用カウント装置の斜視図である。
【００１１】
【図２】図１のカウント装置の斜視図である。
【００１２】
【図３】構成部品をより詳細に表すための、カウント装置の分解図である。
【００１３】
【図４】上部スクリーンの底カップへの接続を表すための、カウント装置の断面図である。
【００１４】
【図５】別の例示的な実施形態にかかる腕立て伏せ運動用カウント装置の上面図である。
【００１５】
【図６】図５に示されたカウント装置の側面図である。
【００１６】
【図７】構成部品をより詳細に表すための、図５のカウント装置の分解図である。
【００１７】
【図８】図５のカウント装置の断面図である。
【００１８】
【図９】別の例示的な実施形態にかかるカウント装置を組み込んだ運動システムである。
【発明の詳細な説明】
【００１９】
例示的な実施形態は、概して、腕立て伏せ運動用カウント装置に関する。一実施例では、この装置は、装置本体とカウンタ組立体とを含んでいる。装置本体は、カウンタ組立体を受けるための中心開口を含んでいる。カウンタ組立体は、反復カウントと経過時間とを表示するためのディスプレイを含んでいる。一実施例では、カウンタ組立体は、ゼロまでカウントダウンする設定期間を有するように構成することができる。カウンタ組立体は、装置本体に嵌合し、複数のカウンタボタンを露出するように装置の頂部を形成する発泡体リングを含んでいる。ユーザが発泡体リングを押し下げると、この装置はカウントを繰り返して、経過時間とともにディスプレイ上で登録するカウントを開始する。運動の経過時間は、例えば、所定の設定運動時間からゼロまで減少する時間として、または、ゼロから設定の最終時間まで増える時間として理解することができる。装置本体自体は、カウントを開始するのに必要な距離を越えてカウント装置を押し下げることができるように、ユーザの体重を受けて変形可能であり得る。変形可能な装置本体はまた、ユーザが運動中に、筋肉コントロールを失った場合にけがを防ぎ、そして装置電子品を保護するために、安全機能を提供し得る。
【００２０】
別の実施例では、装置は、装置本体と遠隔で通信する着脱可能なカウンタを含んでいる。装置本体は、腕立て伏せ運動中に発泡体リングが押し下げられたことを検知するセンサを含んでいる。センサは、遠隔カウンタのトランシーバによって受けられる信号を送信するトランシーバに取り付けられている。この信号によって、カウンタは、ユーザが、経過時間とともに、カウンタのディスプレイ上で見ることができるカウントを繰り返す。
【００２１】
図１は、例示的な実施形態にかかる腕立て伏せ運動用カウント装置の斜視図であり、図２は、カウント装置１０の斜視図である。カウント装置１０は、カウンタ組立体１００を支持する装置本体１５０を含んでいる。一実施例では、装置本体１５０は、装置１０に安定性を与えるために、間隔の空いた脚１５２、１５４、１５６を備えた三脚として構成され得る。一実施例では、カウント装置１０の高さは、およそ握り拳の幅に近くてもよい。軍隊およびフィットネスチームは、パートナーの胸の下の地面に拳を横向きに置くことによって、腕立て伏せを数えるために仲間を用いる。装置１０は、反復をカウントするために、拳の高さを想定している。
【００２２】
装置本体１５０は、何らかの変形を可能にする適切なプラスチックまたはゴム材料で構成され得る。１つの例示的な材料は、熱可塑性ゴム（ＴＰＲ）であり得る。この材料によって、応力を受けると、装置本体１５０は変形する。このことによって、ユーザが装置１０の上で姿勢を保つことができない場合に、装置１０が破壊するのを防ぐ。本実施例におけるカウンタ組立体１００は、上部スクリーン１１０と表示ユニット１２０と、並びに、上部スクリーン１１０内に形成された穴を貫通して延びる複数の作動ボタン１２１、１２３、１２５を支持する発泡体ゴムリング１０５を含んでいる。一実施例では、表示ユニット１２０はＬＥＤ表示装置を含んでもよい。
【００２３】
概して、作動中には、腕立て伏せ運動中に下向きの動きをするユーザは、発泡体ゴムリング１０５と接触する。発泡体ゴムリング１０５は、リングホルダー１０７内に置かれている。発泡体リング１０５が変形すると、これによって、リングホルダー１０７が、所定距離を押し下げられ、カウントが登録される。例えば、発泡体ゴムリング１０５が変形して、ホルダー１０７が約０．５インチ下向きに移動（３ｍｍ移動）すると、表示ユニット１２０上でカウントを登録するためにカウントシーケンスが開始される。これは単に一実施例にすぎないが、ホルダー１０７を約２〜７ｍｍの範囲の距離を移動させるために発泡体リング１０５が変形すると、カウントシーケンスが開始され得る。所定の変形距離において、反復を登録するために、ホルダー１０７の下側が、装置電子品内の１つまたは複数のセンサと接する。このカウントが、経過時間とともに、表示ユニット１２０に表示される。経過時間は、例えば、所定の開始時間からカウントダウンされる時間、またはゼロからカウントアップされる時間であり得る。
【００２４】
図３は、構成部品をより詳細に示すためのカウント装置の分解図である。カウンタ組立体１００は、ディスプレイ１２０を取り囲む上部スクリーン１１０を含んでいる。上部スクリーン１１０は、作動ボタン１２５が貫通する複数の穴１１１を含んでいる。カウンタ組立体１００は、この実施例では、ネジ式カラム１５５によって装置本体１５０にねじ込まれる底カップ１３０を含んでいる。底カップ１３０は、上部スクリーン１１０の脚１１２を受けるように設計された一連の穴１３１を含んでいる。底カップ１３０は、バッテリー１４２用にバッテリーホルダー１４０を受けるように設計された空洞１３２を含んでいる。バッテリー１４２はカウントと経過時間を表示するために、表示ユニット１２０のＰＣボード１１７に電力を供給する。
【００２５】
上部スクリーン１１０内の穴１１１を貫通して延びる作動ボタン１２１、１２３、１２５は、所定の機能を有することができる。ボタンのうちの１つは「オン／リセット」ボタン１２１であってもよい。別のボタン１２３には、ディスプレイ１２０に表示される運動時間を増やすための「時間延長」機能が与えられ、第３のボタン１２５は、ディスプレイ１２０に表示される運動時間を減らすための「時間短縮」機能が割り当てられている。
【００２６】
概して、カウント装置１０への電力供給は、オン／リセットボタン１２１を押すことによってオンにされる。一実施例では、ディスプレイ１２０は、電源がオンにされると、２分間０回と表示するよう初期設定される。最初の反復が登録されると、タイマーは、カウントダウンを開始して、反復ごとに警告音を鳴らし、カウントが増えることで反復を登録する。２分間という運動時間は、例えば、米海軍特殊部隊によって使用される基本的な運動の持続時間であるが、初期設定の時間は異なる初期設定の時間に設定することが可能である。ユーザは、運動の前または最中に、ボタン１２３を用いて時間を増やすか、または、ボタン１２５で時間を減らすことができる。あるいは、カウント装置１０は、カウントアップタイマーモードに設定されてもよい。このモードでは、一旦電源がオンになると、カウント装置１０は、０：００分／０回の初期設定表示で、ユーザが運動し始めるのを待つ。最初の反復が行われると、タイマーがディスプレイ１２０上でカウントアップし始めるであろう。ディスプレイ１２０は、バッテリー１４２を節約するために、自動電源停止機能を有している。例えば、４分間使用しないと、ディスプレイ１２０は電源が切れる。
【００２７】
作動中、発泡体リング１０５がユーザの体重を受けて変形すると、それによって、リングホルダー１０７が、１つまたは複数のマイクロスイッチ１１９に対して押し下げられる。この動作によって、カウントが登録される。複数のばね１４４が、リングホルダー１０７の下側に形成されたボス１４７と、ばね板１４６の上面との間で固定されている。ばね１４４は、リングホルダー１０７の下向きの力に抗して、マイクロスイッチ１１９の方へ反力を与える。マイクロスイッチ１１９は、ＰＣボード１１７を介してディスプレイ１２０と電気的に通信し、ディスプレイ１２０上でカウントを登録するために、ＰＣボード１１７にカウント信号を提供する。
【００２８】
図４は、上部スクリーンの底カップへの接続を示すための、カウント装置の断面図である。底カップ１３０のネジ１３３が、装置本体１５０のネジ式カラム１５５にねじ込み係合することによって、底カップ１３０が装置本体１５０に固定される。上部スクリーン１１０の脚１１２は、ネジ穴１１３を含んでいる。底カップ１３０の穴１３１を脚１１２内の穴１１３と位置合わせすることによって、上部スクリーン１１０とディスプレイ１２０を底カップ１３０に固定するために、固定具１３４がネジ穴１１３と係合するように挿入され得る。図４では、ばね１４４の１つが、ばね板１４６とリングホルダー１０７との間で圧縮されていることが示されている。
【００２９】
図５は、別の例示的な実施形態にかかる腕立て伏せ運動用カウント装置の上面図であり、図６は、図５で示されたカウント装置の側面図である。図５および図６を併せて参照すると、本実施例のカウント装置１０’は、装置本体１５０’を除いて、先の実施形態で示したカウント装置と同様である。本実施例では、装置本体１５０’は、脚１５２、１５４、１５６を接続するために、底の周りで、硬質プラスチック製のリング１６０を含んでいる。リング１６０は、ユーザが押して、発泡体ゴムリング１０５が変形する場合に、装置１０’に安定性を加えるために設けられている。装置本体１５０’はまた、ユーザの体重を受けて変形することもできる。
【００３０】
図７は、構成部品をより詳細に説明するための、図５のカウント装置の分解図であり、図８は、図５のカウント装置の断面図である。図７および図８を参照すると、装置１０’の部品の配置は、図１〜４に示されたものと僅かに異っている。底カップ１３０は、バッテリー１４２を密閉するためのカバー１３７を備えた、バッテリー１４２を受けるためのバッテリー区画１３５を含んでいる。マイクロスイッチ１１９は、リングホルダー１０７の下側との関係において、より詳細に示されている。オン／リセットボタン１２１、時間延長ボタン１２３および時間短縮ボタン１２５はそれぞれ、ＰＣボード１１７上の結合位置（図示されてないが、ばね板１４６の下にある）に関して、より詳細に示されている。
【００３１】
一実施例では、装置１０’は、装置本体１５０’の弾性ゆえに、追加的に１〜４インチ変形することができるように構成されている。デュロメータは、材料の硬度または恒久的な凹部に対する材料の抵抗を示す測定である。いくつかの測定スケールが存在する。２つの最も一般的な測定スケールは、ＡＳＴＭ  Ｄ２２４０のタイプＡおよびタイプＤのスケールである。Ａスケールは、柔軟なプラスチック用であり、一方、Ｄスケールは硬質のプラスチック用である。この実施例では、装置本体１５０’を構成する材料は、タイプＡのスケールを用いると、６０〜１００デュロメータの硬度を有することができる。なお、所望の硬度範囲は、約６５〜７５デュロメータである。一実施例においては、装置本体１５０’は、約６５デュロメータの測定硬度を有する熱可塑性ゴム（ＴＰＲ）から構成され得る。装置本体１５０’全体は、底カップ１３０の下側にある硬質プラスチックのバッテリーカバー１３７が底に達するまで、下向きに押し付けまたは変形することができる（例えば、トイレ用吸引器を下に押すのと似ている）。これによって、ユーザが、運動中に筋肉コントロールを失った場合に、けがを防ぎ、そして装置電子品を保護するための安全機能が提供される。
【００３２】
図９は、別の例示的な実施形態にかかるカウント装置を組み込んだ運動システムである。カウント装置１０’’は、図１〜８で説明したカウント装置と同じようなものであり、相違点を以下に詳細に記載する。システム１０００は、腕立て伏せに使用するための一組のハンドル装置を含んでいる。一実施例では、これらは回転可能な腕立て伏せ運動用装置２００であってもよいが、カウント装置１０’’は、ハンド装置を備えず、両手用に表面が持ち上がって、および／または図９で示されているように用いられ得る。
【００３３】
本実施形態においては、この実施例ではカウンタ表示ユニット３００と称される表示ユニットが取り除かれ、装置１０’’から離れて示されている。カウンタ表示ユニットは、ディスプレイに電力を供給するために、それ自体、電子機器を収容している。底カップ１３０と、発泡体ゴムリング１０５と、ばね板１４６上に配置されたＰＣボード１０７とマイクロスイッチ１１９と、ばね板１４６とリングホルダー１０７との間のばね１４４とを備えた装置本体１５０は、隣接するカウント装置１０’’では、ユーザの真下のままである。
【００３４】
本実施形態においては、カウンタ表示ユニット１３０と装置１０’’は、例えば、ＲＦ、ＩＦなどの無線通信を介して遠隔通信することができる。一実施例においては、ＲＦデータ通信が、装置１０’’内のトランシーバとカウンタ表示ユニット３００との間で行われることができ、その結果、無線信号が、装置１０’’からカウンタ表示ユニット３００へ送信される。点線５００は、カウント装置１０’’とカウンタ表示ユニット３００との間で通信された無線信号を表している。一実施形態では、表示ユニット３００が、確認無線信号を装置１０’’の送信機へ送り返すことを示すために、信号パスが２つの方向で示されている。装置１０’’とカウンタ表示ユニット３００とに適したトランシーバの例として、ＡｅｒｏＣｏｍｍ社による、１ｉｎ２を測定し、内蔵型ＰＣＢマウント無線モデムモジュールである９００−ＭＨｚ  ＡＣ−４４９０−１×１  ＦＨＳＳトランシーバと、Ｍｉｃｒｅｌ社による、５ｍｍ２の設置面積に嵌合する内蔵型トランシーバであるＭＩＣＲＦ５０５を挙げることができる。
【００３５】
作動中、ユーザは、腕立て伏せ運動用装置２００を握り、発泡体ゴムリング１０５に接するように、腕立て伏せ運動の下向きの動きを開始する。発泡体ゴムリング１０５は、マイクロスイッチ１１９がリングホルダー１０７の下側と接触して、装置１０’’のトランシーバへ信号を生成するように、ばね１４４に対して、所定距離下向きに変形する。装置１０’’のトランシーバは、この信号５００を、カウンタ表示ユニット３００の受信機へ送信する。この信号５００は、カウントと認識され、経過時間とともにディスプレイに表示される。
【００３６】
換言すると、着脱可能なカウンタ表示ユニット３００を備えたカウント装置１０’’は、一旦信号５００が受信されると、カウント装置１０、１０’’とまさに同じようにカウントを登録する。本実施形態における相違点は、表示ユニット３００を取り外して装置本体１５０から離して再配置して、より読み取りやすい位置を提供することができるということである。発泡体リング１０５と装置電子品（ＰＣボード１０７およびマイクロスイッチ１１９）は、依然として、装置本体１５０内にある。当業者であれば、図１〜８のカウント装置１０および／または１０’はそれぞれ、内部にトランシーバを有する着脱可能なディスプレイとともに構成され得ることが明らかであろう。
【００３７】
さらなる変形例においては、カウント装置１０’’および／またはカウンタ表示ユニット３００は、例えば、携帯型コンピュータまたはパソコン、ノート型パソコンなど他の遠隔装置を用いて通信し得る。さらに、カウント装置１０’’および／またはカウンタ表示ユニット３００は、運動事象中にユーザによる反復の記録を保存するために、メモリとともに構成され得る。計算装置と接続することによって、例えば、記録をダウンロードおよび／またはトレーニングの日課をアップロードし、これらをカウンタ表示ユニット３００で表示することができる。例えば、カウンタ表示ユニット３００は、エアロビクス運動の例を表示するため、および、実行される反復のセット数、休息期間、そして別の反復セットをユーザに与えるために、それ自体のマイクロプロセッサおよび先進的な表示特徴物を有し得る。
【００３８】
本明細書で説明したカウント装置１０、１０’、１０’’はいずれも、ユーザの両手を床について、ハンドルバーを握ることによって、または、ユーザの両手を他の隆起面に置くことによって、ユーザが運動を行いながら使用され得る。図９の実施例は、単なる一例として、両手の腕立て伏せ運動用装置を備えたカウント装置の使用を示している。腕立て伏せ運動用装置２００は、円形の下方基部２１２を備えた単一の成形筐体２１０を含んでいる。筐体２１０は、下方基部２１２の円周回りに形成された一体的な表面材２１４を含んでいる。一実施例では、表面材は、基部２１２から僅かに下向き外側に傾斜してもよい。筐体２１０は、筐体２１０の基部２１２の一部となる一組のカラム２１５を含み、各カラム２１５の下方端部は、カラムの間でハンドル２２０の一端を受けるように、対向側面で、表面材２１４の一部を形成している。一実施例では、各カラム２１５は、下方基部２１２から上向きに傾斜して、徐々に狭くなり、その上方端部でハンドル２２０を固定している。
【００３９】
回転可能な装置２００はそれぞれ、筐体２１０に操作可能に取り付けられた固定基部支持体２３０を含んでいる。装置２００はさらに、ユーザが隣接するハンドル２２０と筐体２１０とを回転することができるように、筐体２１０内に操作可能に取り付けられた軸受組立体（図示せず）を含み、固定基部支持体２３０は、平坦な表面上に置かれている。２００８年１月１８日付で出願され、発明の名称が「腕立て伏せ運動用ユニットおよび装置」である、Ｈａｕｓｅｒらによる、同時係属中で、本出願と譲受人が共通の出願番号第１１／９９６，１５２号明細書における図３、図８Ａ、図８Ｂおよびそれらに対応する説明に関して、例示的な軸受組立体が詳細に説明されている。装置２００について説明する関連内容を、参照により、本明細書に援用する。
【００４０】
概して、筐体２１２は、アクリロニトリルブタジエンスチレン（ＡＢＳ）といった中程度または重いゲージ耐衝撃性プラスチックから射出成形法によって形成可能である。ＡＢＳは、中程度から高い衝撃強さを備えた、容易に加工された、丈夫で、低コストで、剛性の熱可塑性材料であり、旋削加工、穴あけ加工、のこ切断、打抜き、せん断加工などに望ましい材料である。ＡＢＳは、単に一例示的な材料にすぎず、等価の材料として、ＡＢＳと同様の特性を有する種々の熱可塑性および熱硬化性材料が挙げられる。例えば、ポリプロピレン、ＧＥのＬｅｘａｎなど高強度のポリカーボネート、および／または混合プラスチックが、ＡＢＳの代わりに、またはＡＢＳに追加して用いられてもよい。装置２００を構成する材料（ＡＢＳなどのプラスチック、ゴムおよび軽金属材料）によって、軽いが耐久性がある構成を実現する。装置２００に含まれるプラスチック成形品を形成するための例示的な射出成形システムとして、Ｍｉｌａｃｒｏｎ−Ｆａｎｕｃ社によるＲｏｂｏｓｈｏｔ（登録商標）射出成形機が挙げられ得る。Ｒｏｂｏｓｈｏｔは、プラスチック製の射出成形金型を形成するための多くの既知の射出成形機のうちの１つである。
【００４１】
ハンドル２２０は、グリップ２２５に収められた金属ハンドルロッド（図示せず）から構成され得る。例えば、ハンドル２２０は、ゴム引きグリップ２２５に重ね合わせられた、または収められたクロム鋼のハンドルロッドを有し得る。あるいは、ハンドルロッドは、アルミニウム製の中空部材から構成されてもよく、カラム２１５内に形成された対応する凹部（図示せず）内で受けられる。グリップ２２５は、気泡ゴムまたは適切なエラストマー材料からできていてもよく、グリップ１４７の端部に向かって下方に先細の、より広いかまたは厚い中心部分を有している。
【００４２】
装置２００は、滑り止めパッドとして構成された固体ゴム把持面（本明細書では図示されていないが、同時係属中で本出願と譲受人が共通の‘１５２号出願の図５およびそれに対応する説明に関して、詳細に示され、説明されている）を含んでいる。滑り止めパッドは、基部支持体２３０の下側に設けられ、装置２２０が平らな表面上にある場合には、摩擦面を提供する。パッドは、例えば、適切なエポキシまたは接着剤によって、基部支持体２３０の下側に固着されてもよい。滑り止めゴムパッドは、カーペットおよび硬い床面でよく止まる。
【００４３】
見かけ上は、基部支持体２３０が所定位置で固定されたままでありつつ、軸受組立体に隙間を設けることによって、筐体２１０とハンドル２２０とが回転して動くことができるように補助するために、筐体２１０の下方基部２１２と基部支持体２３０との間に、隙間（本明細書では図示されていないが、同時係属中で本出願と譲受人が共通の‘１５２号出願の図２およびそれに対応する説明に関して、詳細に示され、説明されている）が設けられている。
【００４４】
したがって、例示的な実施形態によると、小型で正確であり、反復カウントと経過時間の両方を単一のディスプレイ上で提供する、腕立て伏せ運動用カウント装置が提供される。カウント装置と着脱可能なカウンタ表示ユニットとの間の遠隔通信によって、ユーザは反復と経過時間を追跡することができやすくなる。さらに、カウント装置の高さは、ユーザがごまかすのを防ぎ、ユーザは、発泡体リング１０５が係合し、ディスプレイ上に反復が登録されるのに十分なほど、胸を下げなければならない。
【００４５】
例示的な実施形態についてこのように説明しているが、同じことが数多くの方法で変形され得ることが明らかであろう。例えば、カウント装置１０、１０’は、着脱可能なカウンタ表示ユニットの有無に関係なく構成することができる。本明細書で説明したカウント装置は、ユーザが行う従来の腕立て伏せに適用可能であり、図９のシステムに用いることもできる。このような変形は、例示的な実施形態から逸脱するものと見なされるべきではなく、当業者であれば明らかであろうこのような改変は全て、本明細書に包括されることが意図されている。
【図１】
2010110580.tif 000003
【図２】
2010110580.tif 000004
【図３】
2010110580.tif 000005
【図４】
2010110580.tif 000006
【図５】
2010110580.tif 000007
【図６】
2010110580.tif 000008
【図７】
2010110580.tif 000009
【図８】
2010110580.tif 000010
【図９】
2010110580.tif 000011
【外国語明細書】
2010110580000001.pdf